(57)【要約】【課題】  オートフォーカス機能を備える撮像装置の合焦領域を操作する操作手段の操作方向と合焦領域の移動方向を任意に組み合わせて設定できないため、適切な被写体の選択が困難なる場合があった。【解決手段】  合焦状態が検出される合焦領域を操作する操作手段と、該操作手段の操作方向と前記合焦領域の移動方向を任意に組み合わせて設定する設定手段を有することを特徴とする操作装置。【選択図】  図１
2011118062.tif 000002
【特許請求の範囲】
【請求項１】
合焦状態が検出される合焦領域を操作する操作手段と、該操作手段の操作方向と前記合焦領域の移動方向を任意に組み合わせて設定する設定手段を有することを特徴とする操作装置。
【請求項２】
前記設定手段は、前記合焦領域の移動方向の選択後に前記操作手段が操作されたときに、選択された前記合焦領域の移動方向と前記操作手段の操作方向を組み合わせて設定することを特徴とする請求項１に記載の操作装置。
【請求項３】
前記操作手段の操作方向に対応する前記合焦領域の移動方向を表示する移動方向表示部を備えることを特徴とする請求項１または２に記載の操作装置。
【請求項４】
焦点検出手段と、該焦点検出手段によって合焦状態が検出される合焦領域を操作する操作手段と、該操作手段の操作方向と前記合焦領域の移動方向を任意に組み合わせて設定する設定手段を有することを特徴とするレンズ装置。
【請求項５】
前記設定手段は、前記合焦領域の移動方向の選択後に前記操作手段が操作されたときに、選択された前記合焦領域の移動方向と前記操作手段の操作方向を組み合わせて設定することを特徴とする請求項４に記載のレンズ装置。
【請求項６】
前記操作手段の操作方向に対応する前記合焦領域の移動方向を表示する移動方向表示部を備えることを特徴とする請求項４または５に記載のレンズ装置。
【請求項７】
焦点検出手段と、該焦点検出手段によって合焦状態が検出される合焦領域を操作する操作手段と、該操作手段の操作方向と前記合焦領域の移動方向を任意に組み合わせて設定する設定手段と、合焦領域を表示する表示手段を有することを特徴とする撮像装置。
【請求項８】
前記設定手段は、前記合焦領域の移動方向の選択後に前記操作手段が操作されたときに、選択された前記合焦領域の移動方向と前記操作手段の操作方向を組み合わせて設定することを特徴とする請求項７に記載の撮像装置。
【請求項９】
前記操作手段の操作方向に対応する前記合焦領域の移動方向を表示する移動方向表示部を備えることを特徴とする請求項７または８に記載の撮像装置。
【発明の詳細な説明】
【技術分野】
【０００１】
本発明は、オートフォーカス機能を備える撮像装置に用いられる操作装置に関し、特に、合焦領域を操作可能な操作装置に関する。
【背景技術】
【０００２】
オートフォーカス機能を備える撮像装置においては、撮影画面内における合焦領域を撮影者が視認できるように、合焦領域がファインダ表示される。また、オートフォーカス機能を備えるテレビカメラにおいては、合焦領域を二次元方向へ任意に移動させることができ、ジョイスティック、十字スイッチ、トラックボールなどの操作部材を用いて合焦領域を操作することができる。
【０００３】
テレビカメラの操作部材として、フォーカスを操作するフォーカスデマンドと、ズームを操作するズームデマンドがある。特許文献１のフォーカスデマンドは、合焦領域を操作するための操作部材を備えており、右手操作と左手操作に応じて合焦領域の操作方向を上下、左右に反転させている。
【先行技術文献】
【特許文献】
【０００４】
【特許文献１】特開２００６−４９９５２号公報
【発明の概要】
【発明が解決しようとする課題】
【０００５】
一般に、フォーカスデマンドは、撮影状況に応じて、撮影者が操作しやすいように、テレビカメラに対して様々な位置に取付けることができる。したがって、フォーカスデマンドの配置によっては、操作部材の操作方向と合焦領域の移動方向が対応しない場合が生じ、合焦領域を所望の被写体に適切に移動させることが困難になる場合があった。
【０００６】
本発明は、任意の位置に取り付けることができ、合焦領域を容易に操作することができる操作装置を提供することを目的としている。
【課題を解決するための手段】
【０００７】
本発明の操作装置は、合焦状態が検出される合焦領域を操作する操作手段と、該操作手段の操作方向と前記合焦領域の移動方向を任意に組み合わせて設定する設定手段を有することを特徴としている。
【発明の効果】
【０００８】
本発明によれば、任意の位置に配置することができ、合焦領域を容易に操作することができる撮像装置を実現することができる。
【図面の簡単な説明】
【０００９】
【図１】本発明の実施例１の操作装置を備える撮像装置のブロック図
【図２】本発明の実施例１の操作装置の説明図
【図３】本発明の実施例１の操作装置を備える撮像装置の使用状態の説明図
【図４】本発明の実施例１の操作装置の移動方向設定モードを説明するフローチャート
【図５】本発明の実施例１の操作装置の説明図
【発明を実施するための形態】
【００１０】
以下に、本発明の実施の形態を図面に基づいて詳細に説明する。
【実施例１】
【００１１】
図１は、本発明の操作装置を備える撮像装置のブロック図である。図１の撮像装置は、レンズ本体７と、カメラ本体１０と、焦点検出エリア（合焦領域）を表示する焦点検出エリア表示部（表示手段）１１を備えている。レンズ本体７には、焦点検出エリアを移動させる操作部（操作手段）１と焦点検出エリアの移動方向を設定する設定部２と合焦スイッチ３を含む操作装置が接続されている。ここで、本発明のレンズ装置は、操作装置とレンズ本体７によって構成されている。また、本発明の撮像装置は、レンズ装置にカメラ本体１０と焦点検出エリア表示部１１を加えて構成されている。
【００１２】
レンズ本体７は、不図示のフォーカスレンズ部、ズームレンズ部、アイリス部を備えており、これらはレンズ制御部８からの指令に基づいてそれぞれ駆動される。
【００１３】
レンズ本体７の合焦処理部（焦点検出手段）９は、撮影画面内の焦点検出エリアの被写体についてフォーカス位置を算出し（合焦状態の検出）、レンズ制御部８は、算出されたフォーカス位置に基づいて、フォーカスレンズ部を駆動する信号を出力する。
【００１４】
また、レンズ制御部８は、操作部１の操作方向に対応付けられた移動方向に焦点検出エリアが移動するように、焦点検出エリアの移動に関する信号をカメラ本体１０へ送信する。そして、カメラ本体１０は、レンズ本体７から受信した焦点検出エリアの移動に関する信号を焦点検出エリア表示部１１に送信して、ファインダにおける焦点検出エリアの表示位置を移動させる。なお、本実施例では、合焦処理部９がレンズ本体７に配置されているが、合焦処理部９がカメラ本体に配置されているときは、レンズ本体７から受信した焦点検出エリアの移動に関する信号に基づいて、フォーカス位置を算出する焦点検出エリアを変更する。
【００１５】
図２は、フォーカスデマンド１２を示している。図３は、フォーカスデマンド１２を備える撮像装置の使用状態の説明図である。
【００１６】
フォーカスデマンド１２は、フォーカスを操作するための操作ノブ１２ａと、フォーカスデマンド本体１２ｂで構成されており、ケーブル１４を介してレンズ本体７と接続されている。フォーカスデマンドの操作ノブ１２ａを回転させると、レンズ本体７のフォーカスレンズ部を駆動するためのフォーカス指令信号が出力される。フォーカスデマンド本体１２ｂは、三脚１５に固定された撮像装置を操作するための操作棒１６に取り付けられたクランパー部１７に固定されている。
【００１７】
フォーカスデマンド本体１２ｂには、焦点検出エリア操作ユニット（操作装置）５が一体的に構成されている。焦点検出エリア操作ユニット５は、操作部１、設定部２、合焦スイッチ３、移動方向表示部４、設定モードスイッチ６を備えており、それぞれレンズ制御部８により制御されている。合焦スイッチ３によってオートフォーカス制御のＯＮとＯＦＦが切り換えられる。操作部１が操作されると、焦点検出エリアの移動方向の指令信号が出力される。設定部２には、焦点検出エリアの移動方向に対応する上下左右のスイッチと移動禁止のスイッチが配置されている。移動方向表示部４は、操作部１の操作方向に対応する焦点検出エリアの移動方向を表示しており、設定された方向の、上下左右もしくは移動禁止の表示を行う。設定モードスイッチ６は、焦点検出エリアの移動方向に対して操作部１の操作方向を設定する設定モードのＯＮとＯＦＦを切り換えるスイッチである。
【００１８】
図４は、焦点検出エリアの移動方向に対して操作部１の操作方向を設定するときのフローチャートを示している。設定モードスイッチ６の操作により移動方向設定モードになると、設定部２の上下左右のスイッチと移動禁止のスイッチが選択可能になる。設定部２は、５つのスイッチを有し、それぞれのボタンには、焦点検出エリアの水平方向の右２ａ、左２ｂ、垂直方向の上２ｃ、下２ｄの４方向と、移動禁止とする「−」２ｅが割り振られている。これらのスイッチのうち、１つのスイッチを押したのち（１つのスイッチの選択後に）、操作部１をある方向に操作すると、設定部２のスイッチが押された方向と操作部１が操作された方向が対応するように設定される。また、「−」２ｅを押した後に操作部１をある方向に操作すると、操作部が操作された方向は、焦点検出エリアの移動が禁止される方向として設定される。上記の設定を繰り返すことにより、焦点検出エリアの移動方向に対して操作部１の任意の操作方向を対応させることができる。移動方向設定モードを終了させるときは、設定モードスイッチ６をＯＦＦにして、移動方向設定モードを終了する。
【００１９】
図５は、フォーカスデマンド１２を図２の位置から時計回りに４５°回転させて、クランパー部１７へ固定したときの説明図である。このようにフォーカスデマンド１２を固定した場合、画面の上下方向に対応する操作部１の操作方向は、撮影者によって異なる方向に設定することが考えられる。図５においては、操作部の操作方向１ａ、１ｃを設定部２ｅの移動禁止「−」に設定し、操作方向１ｂを設定部２ｂの左に設定し、操作方向１ｄを設定部２ａの右に設定している。
【００２０】
本実施例によれば、焦点検出エリア操作ユニット５を含むフォーカスデマンド１２を三脚１５の操作棒１６の任意の位置に取り付けた場合でも、撮影者の好みに応じて、操作部１の操作方向と焦点検出エリアの移動方向を任意に対応付けて設定することができる。
【００２１】
なお、上記の実施例においてはフォーカスデマンド１２に焦点検出エリア操作ユニット５が一体的に構成されている場合を説明したが、ズームを操作するためのズームデマンドに焦点検出エリア操作ユニット５が一体的に構成されていても良い。
【００２２】
また、焦点検出エリア操作ユニット５が、フォーカスデマンド１２やズームデマンドとは別に構成されて、操作棒１６などに直接固定されていても良い。焦点検出エリア操作ユニット５を独立して構成することにより、フォーカスデマンドやズームデマンドの配置によらず、所望の位置に固定することができる。
【００２３】
また、上記の実施例においては、操作部１の操作方向が上下左右の４方向としたが、任意の方向に操作可能な操作部を備える操作ユニット５であっても良い。
【００２４】
また、レンズ本体７のレンズ制御部８が操作ユニット５の各部を制御する構成ではなく、操作ユニット５に設けられた制御部が焦点検出エリアの移動方向と操作部の操作方向を設定すると共に、操作部の操作方向に対応する信号をレンズ制御部８に出力しても良い。
【００２５】
以上、本発明の好ましい実施例について説明したが、本発明はこれらの実施例に限定されないことはいうまでもなく、その要旨の範囲内で種々の変形及び変更が可能である。
【符号の説明】
【００２６】
１  操作部
２  設定部
３  合焦スイッチ
７  レンズ本体
８  レンズ制御部
９  合焦処理部
１０  カメラ本体
１１  焦点検出エリア表示部
【図１】
2011118062.tif 000003
【図２】
2011118062.tif 000004
【図３】
2011118062.tif 000005
【図４】
2011118062.tif 000006
【図５】
2011118062.tif 000007